(57)【特許請求の範囲】
【請求項１】
マッサージに際して振動及び低周波の電気信号を付与する複数のピンを有するマッサージ器用のピンヘッドであって、上記複数のピンと、一端が平面部で閉塞され且つ他端が開口する有底筒状のピンヘッド本体と、上記平面部の内面に上記複数のピンに対応させて立設され且つ上記複数のピンそれぞれが上記平面部を貫通する貫通孔をそれぞれ有する複数の第１の支柱と、上記複数のピンの基端部それぞれに取り付けられ且つ上記第１の支柱の基端面に係止されて上記複数のピンをそれぞれの第１の支柱から抜け止めする複数の抜け止め具と、上記複数のピンそれぞれの基端部を囲んで装着され且つ上記複数のピンそれぞれを、上記抜け止め具を介して上記平面部の外方に向けて付勢する導電性弾性部材と、上記複数のピンにそれぞれ装着された上記抜け止め具及び上記導電性弾性部材を囲むと共に上記複数の第１の支柱それぞれとの間に隙間を形成して上記平面部の内面に立設され且つ上記複数の第１の支柱の高さより高く形成された複数の環状支柱と、上記ピンヘッド本体内で上記平面部の内面周縁部に沿って立設され且つ上記環状支柱と同一高さに形成された複数の第２の支柱と、上記複数の第２の支柱に固定されて上記ピンヘッド本体の開口を閉じると共に上記複数の導電性弾性部材をそれぞれ圧縮し且つ上記複数のピンそれぞれの基端との間に隙間を作る導電性プレートと、上記導電性プレートに取り付けられ且つ上記導電性プレートを介して上記複数のピン側へ上記電気信号を導くアースピンと、を備え、上記環状支柱は、上記導電性プレートを上記ピンヘッド本体に取り付ける時に、上記導電性弾性部材を上記環状支柱内に閉じ込めるように構成されていることを特徴とするマッサージ器用のピンヘッド。
【請求項２】
上記導電性弾性部材がコイルスプリングであることを特徴とすることを特徴とする請求項１に記載のマッサージ器用のピンヘッド。
【請求項３】
上記抜け止め具と上記第１の支柱の端面との間にクッションシートが介在することを特徴とする請求項１または請求項２に記載のマッサージ器用のピンヘッド。
【請求項４】
上記アースピンは、上記導電性プレート上で弾力的に支持されていることを特徴とする請求項１〜請求項３のいずれか１項に記載のマッサージ器用のピンヘッド。
【発明の詳細な説明】
【技術分野】
【０００１】
本発明は、例えば頬等の柔らかい肌や筋肉のマッサージを行う際に、頬等の柔らかい肌や筋肉に振動と電気的な刺激を与えて血液やリンパ液等の体液の流れを活性化させ、いわゆる美顔等の美容に好適に用いられるマッサージ器に関し、更に詳しくは、頬等の柔らかい肌の起伏に即して進退動する複数のピンを有するマッサージ器用のピンヘッドに関するものである。
【背景技術】
【０００２】
従来から肌や筋肉の疲労回復等を図るマッサージ器として、肌に振動を与えるだけのマッサージ器が広く使用されている。また、筋肉痛等に対して低周波パルスの電気信号を肌や筋肉に印加して肌や筋肉を活性化して自然治癒力を高める機器が知られている。
【０００３】
しかしながら、従来のマッサージ器の場合には、筋肉の内部まで振動が到達し難く、必ずしも十分な効果が得られていない。また、低周波パルスの電気信号を印加する機器の場合には、電気信号を印加する部分で「ピリピリ」感があって必ずしも快適なものではなかった。
【０００４】
そこで、本出願人は、特許文献１において、複数のピンを介して頬等の肌や筋肉に振動を与えると同時に低周波パルスの電気信号を印加するマッサージ器を提案している。このマッサージ器は、振動及び低周波パルスの電気信号が肌や筋肉の内部まで到達し、しかも「ピリピリ」感がない。
【０００５】
その後、特許文献１において提案したマッサージ器が例えば美顔等の美容上の使用実績を積み重ねた結果、このマッサージ器は複数のピンがそれぞれピンヘッドにおいて固定されているため、複数のピンそれぞれが頬等の肌の曲面に追随せず肌や筋肉と均一に接触せず、複数のピン間で接触強度に強弱があり、必ずしも複数のピンそれぞれから肌や筋肉に対して均一な振動や低周波パルスの電気信号を与えることができなかった。
【０００６】
そこで、本出願人は、特許文献２において、複数のピンが頬等の肌や筋肉に対してほぼ均一に接触して頬等の肌や筋肉に極力均一な振動と低周波パルスの電気信号に基づく刺激（以下、「電気的刺激」と称す。）を与えることができるマッサージ器を提案した。
【発明の概要】
【発明が解決しようとする課題】
【０００７】
しかしながら、特許文献２で提案されたマッサージ器の場合には、複数のピンが平坦なプレートに固定、支持されていて、平坦なプレートがその中心に固定された支持ピンを中心に全方向に傾斜自在になっているため、プレートは肌や筋肉の起伏に即して傾斜するが、複数のピンはプレートに固定されていて肌や筋肉の起伏に追随しないため、複数のピンがそれぞれ異なるピン圧で肌や筋肉と接触し必ずしも心地良い振動と電気的刺激を与えることができるとは限らなかった。
【０００８】
【特許文献１】特許第３７４４６６２号
【特許文献２】特許第５４９８６０９号
【０００９】
本発明は、上記課題を解決するためになされたもので、複数のピンがそれぞれ独立して進退動し、頬等の柔らかい肌や筋肉の起伏に即して均一なピン圧で接触し、違和感なく心地良い振動と電気的刺激を与えて血液やリンパ液等の体液の流れを活性化して疲労等を回復することができるマッサージ器用のピンヘッドを提供することを目的としている。
【課題を解決するための手段】
【００１０】
本発明の請求項１に記載のマッサージ器用のピンヘッドは、マッサージに際して振動及び低周波の電気信号を付与する複数のピンを有するマッサージ器用のピンヘッドであって、上記複数のピンと、一端が平面部で閉塞され且つ他端が開口する有底筒状のピンヘッド本体と、上記平面部の内面に上記複数のピンに対応させて立設され且つ上記複数のピンそれぞれが上記平面部を貫通する貫通孔をそれぞれ有する複数の第１の支柱と、上記複数のピンの基端部それぞれに取り付けられ且つ上記第１の支柱の基端面に係止されて上記複数のピンをそれぞれの第１の支柱から抜け止めする複数の抜け止め具と、上記複数のピンそれぞれの基端部を囲んで装着され且つ上記複数のピンそれぞれを、上記抜け止め具を介して上記平面部の外方に向けて付勢する導電性弾性部材と、上記複数のピンにそれぞれ装着された上記抜け止め具及び上記導電性弾性部材を囲むと共に上記複数の第１の支柱それぞれとの間に隙間を形成して上記平面部の内面に立設され且つ上記複数の第１の支柱の高さより高く形成された複数の環状支柱と、上記ピンヘッド本体内で上記平面部の内面周縁部に沿って立設され且つ上記環状支柱と同一高さに形成された複数の第２の支柱と、上記複数の第２の支柱に固定されて上記ピンヘッド本体の開口を閉じると共に上記複数の導電性弾性部材をそれぞれ圧縮し且つ上記複数のピンそれぞれの基端との間に隙間を作る導電性プレートと、上記導電性プレートに取り付けられ且つ上記導電性プレートを介して上記複数のピン側へ上記電気信号を導くアースピンと、を備え、上記環状支柱は、上記導電性プレートを上記ピンヘッド本体に取り付ける時に、上記導電性弾性部材を上記環状支柱内に閉じ込めるように構成されていることを特徴とするものである。
【００１１】
また、本発明の請求項２に記載のマッサージ器用のピンヘッドは、請求項１に記載の発明において、上記導電性弾性部材がコイルスプリングであることを特徴とすることを特徴とするものである。
【００１２】
また、本発明の請求項３に記載のマッサージ器用のピンヘッドは、請求項１または請求項２に記載の発明において、上記抜け止め具と上記第１の支柱の端面との間にクッションシートが介在することを特徴とするものである。
【００１３】
また、本発明の請求項４に記載のマッサージ器用のピンヘッドは、請求項１〜請求項３のいずれか１項に記載の発明において、上記アースピンは、上記導電性プレート上で弾力的に支持されていることを特徴とするものである。
【発明の効果】
【００１４】
本発明によれば、複数のピンがそれぞれ独立して頬等の柔らかい肌や筋肉の起伏に即して進退動し、起伏のある肌や筋肉に対して均一なピン圧で接触し、アースピン及び導電性プレートを介して違和感なく心地良い振動と電気的刺激を与えて血液やリンパ液等の体液の流れを活性化して疲労等を回復することができ、また、ピンヘッドの組み立てる時には複数のピンそれぞれに取り付けられた導電性弾性部材をそれぞれのピンから外すことなく容易に装着することができるマッサージ器用のピンヘッドを提供することができる。
【図面の簡単な説明】
【００１５】
【図１】(ａ)、(ｂ)、(ｃ)はそれぞれ本発明のピンヘッドが適用されたマッサージ器本体の一実施形態を示す図で、(ａ)はマッサージ器本体の側面図、(ｂ)はマッサージ器本体の下方から見た平面図、(ｃ)はマッサージ器本体の上方から見た平面図である。
【図２】(ａ)、(ｂ)はそれぞれ図１に示すマッサージ器本体のピンヘッドを示す図で、(ａ)はピンヘッドの断面図、(ｂ)はピンヘッドの側面図である。
【図３】(ａ)、(ｂ)はそれぞれ図１に示すマッサージ器本体のピンヘッドを示す図で、(ａ)はピンヘッドを下方から見た平面図、(ｂ)はピンヘッドを上方から見た平面図である。
【図４】図２に示すマッサージ器本体のピンヘッドの要部を示す分解斜視図である。
【図５】図２に示すピンヘッドをマッサージ器本体側へ装着する状態を部分的に示す断面図である。
【発明を実施するための形態】
【００１６】
以下、図１〜５に示す実施形態に基づいて本発明を説明する。
本実施形態のピンヘッド１０は、例えば図１に示すように、マッサージ器本体の主要部として用いられる。このマッサージ器は、図１の（ａ）〜（ｃ）に示すマッサージ器本体Ｍと、マッサージ器本体Ｍに信号波を送信してマッサージ器本体Ｍを操作するコントローラ（図示せず）と、を備え、コントローラからの信号波に基づいてマッサージ器本体Ｍを操作して頬等の柔らかい肌や筋肉に振動や電気的刺激を与えてこれらの部位での血液やリンパ液等の体液の流れを活性化して筋肉疲労等を回復することができるものである。従って、本実施形態のピンヘッド１０は、例えば美顔用のマッサージ器に好ましく用いることができる。
【００１７】
而して、マッサージ器本体Ｍは、図１の（ａ）〜（ｃ）に示すように、本実施形態のピンヘッド１０と、ピンヘッド１０が装着された操作部２０と、を備え、操作部２０を握り、ピンヘッド１０の複数（例えば１２本）のピン１１を頬等の柔らかい肌や筋肉に接触させ、これらの部位に振動と電気的刺激を与えることで血液やリンパ液等の体液の流れを活性化して筋肉疲労等を回復することができる。
【００１８】
操作部２０は、図１の（ａ）〜（ｃ）に示すように、種々の機器を収納するように上下のケース２１Ａ、２１Ｂからなるケース２１と、ケース２１の内部空間を上下に区画するプリント配線基板２２（図５参照）と、プリント配線基板２２に搭載された振動生成器２３（図５参照）と、プリント配線基板２２に搭載された低周波信号生成器（図示せず）と、を備えている。プリント配線基板２２は、略ケース２１の全長に渡る長さに形成されている。
【００１９】
振動生成器２３は、図５に示すように、モータ２３Ａと、モータ２３Ａの回転軸に連結された回転錘２３Ｂと、を備えている。回転錘２３Ｂは、例えば厚肉の円板状に形成され、回転錘２３Ｂが周縁部に偏倚した位置でモータ２３Ａの回転軸に連結されている。回転錘２３Ｂの回転中心が偏心しているため、モータ２３Ａの駆動により回転錘２３Ｂが偏心回転してピンヘッド１０に振動を付与する。
【００２０】
図１に（ａ）に示すように下ケース２１Ａの左端部にはピンヘッド１０が接続される筒状部２１Ａ１が形成されている。この筒状部２１Ａ１には図５に示すようにプリント配線基板２２に搭載された振動生成器２３が収納されている。振動生成器２３のピンヘッド１０側に中央孔を有する隔壁２１Ａ２が形成され、この隔壁２１Ａ２に第１の導電性プレート２４が取り付けられている。更に、図１の（ｂ）に示すように、下ケース２１Ａの直胴部２１Ａ３内には駆動用電池（例えば単３電池２本）の収納部が形成されている。
【００２１】
また、図１の（ａ）に示すように上ケース２１Ｂの左端部には筒状部２１Ａ１に対応する椀状部２１Ｂ１が形成されている。図１の（ｃ）に示すように椀状部２１Ｂ１にはマッサージ器本体Ｍを操作する操作ボタン２５が装着されている。また、図１の（ａ）、（ｃ）に示すように上ケース２１Ｂの直胴部２１Ｂ２の左右両側面及び上面にはそれぞれアースプレート２６Ａ、２６Ｂが取り付けられている。プリント配線基板２２は、ケース２１内に略全長に渡って配置されている。
【００２２】
本実施形態のピンヘッド１０は、図１の（ａ）、図２の（ａ）、（ｂ）及び図３の（ａ）、（ｂ）に示すように、１２本のピン１１と、これらのピン１１を収納、支持する有底筒状に形成されたピンヘッド本体１２と、を備え、操作部２０の筒状部２１Ａ１に装着して用いられる。有底筒状のピンヘッド本体１２は、図２の（ａ）、（ｂ）及び図３の（ａ）、（ｂ）に示すように、一方に円形状に形成された平面部１２Ａと、他方に開口端が形成された筒状部１２Ｂとからなっている。ピンヘッド本体１２の全周面は肉厚に形成され、外面が湾曲している。ピンヘッド本体１２の内部は、例えば図２の（ａ）に示すように、円周面１２Ｃとして形成されている。また、図５に示すように筒状部１２Ｂの開口端部の外周面には操作部２０の筒状部２１Ａ１の内周面に形成された雌ねじ部２１Ａ４と螺合する雄ねじ１２Ｄが形成されている。
【００２３】
図２の（ａ）、図４に示すように、平面部１２Ａの内面には１２本のピン１１に対応させた第１の支柱１２Ｅが所定間隔を空けて形成されている。これらの第１の支柱１２Ｅの軸芯にはピン１１が摺動自在に挿入される貫通孔がそれぞれ形成されている。図２の（ａ）、図４に示すように、１２箇所の第１の支柱１２Ｅは、それぞれ筒状部１２Ｂの開口端に向けて同一高さに立設されている。
【００２４】
図２の（ａ）に示すように、１２箇所の第１の支柱１２Ｅの外側には、これらの第１の支柱１２Ｅを囲む環状支柱１２Ｆが立設されている。環状支柱１２Ｆは、同図に示すように、内径が第１の支柱１２Ｅの外径より大径に形成されていると共に第１の支柱１２Ｅよりも丈が高く、円周面１２Ｃの中ほどの高さまで形成されている。従って、第１の支柱１２Ｅの外周面と環状支柱１２Ｆの内周面の間には隙間が形成されている。また、平面部１２Ａ内面の外周縁部には後述する第２の導電性プレートの位置決めをする位置決め部１２Ｇが周方向等間隔を空けた４箇所に形成されている。尚、図２の（ａ）、図５では内周面１２Ｃ近傍の環状支柱が省略され、ピン１１の基端の初期位置が分かるようになっている。また、図４では環状支柱１２Ｆが省略され、第１の支柱１２Ｅが露呈している。
【００２５】
また、図２の（ａ）に示すように１２箇所の第１の支柱１２Ｅの貫通孔には１２本のピン１１がそれぞれ貫通し、これらのピン１１は、それぞれ肌の起伏に即して第１の支柱１２Ｅの貫通孔で進退動するようにピンヘッド本体１２の平面部１２Ａから外側へ大きく突出し、それぞれの基端が第１の支柱１２Ｅの突出端面から突出する長さに形成されている。１２本のピン１１は全て同一状態でピンヘッド本体１２に取り付けられるため、以下では一本のピン１１を取り上げて説明する。
【００２６】
ピン１１は、図２の（ａ）、図３及び図４に示すように、導電性金属からなる抜け止め具（例えばＣリング）１３Ａを介して第１の支柱１２Ｅからピンヘッド本体１２の外方へ抜け出さないようになっている。即ち、ピン１１の基端近傍の外周面には図４に示すように溝１１Ａが形成され、この溝１１ＡにＣリング１３Ａが取り付けられている（図２の（ａ）参照）。第１の支柱１２Ｅの貫通孔に挿入されたピン１１は、Ｃリング１３Ａによって第１の支柱１２Ｅの突出端面で係止され、第１の支柱１２Ｅから抜け出さないようになっている。
【００２７】
また、Ｃリング１３Ａは、図２の（ａ）に示すように環状支柱１２Ｆの内径より若干小径に形成され、ピン１１が第１の支柱１２Ｅに挿入された状態で環状支柱１２Ｆよって囲まれている。このＣリング１３Ａは導電性金属によって形成されており、ピン１１が後述のように第１の支柱１２Ｅの貫通孔内で弾力的に進退動することにより、Ｃリング１３Ａと第１の支柱１２Ｅの突出端面との間で衝突音が発生する。本実施形態では衝突音を軽減するために、図４に示すようにピン１１に取り付けられたＣリング１３Ａと第１の支柱１２Ｅの突出端面との間にゴム等の弾性材料からなるクッションリング１５が介在し、衝突音を防止あるいは緩和し、違和感なくマッサージを行うことができ。
【００２８】
また、ピンヘッド本体１２の平面部１２Ａの内面外周縁部には図４に示すように周方向に等間隔を空けた複数箇所（例えば４箇所）に第２の支柱１２Ｈが立設され、これらの第２の支柱１２Ｈの軸芯には雌ねじが形成されている。第２の支柱１２Ｈは、図示されていないが、環状支柱１２Ｆと同一高さであり、第１の支柱１２Ｅより丈が高く形成されている。これらの第２の支柱１２Ｈにはピンヘッド本体１２の円周面１２Ｃよりやや小径の第２の導電性プレート１４が４箇所の孔１４Ａを介して締結部材（例えば、雄ねじ）１６によって締結、固定され、ピンヘッド本体１２の開口を閉じている。ピン１１は、図２の（ａ）に示すようにＣリング１３Ａを介して第１の支柱１２Ｅの端面に係止された状態で、その基端が図２の（ａ）、図５に示すように第２の導電性プレート１４の内面から離間している。ピン１１の基端と第２の導電性プレート１４との寸法がピン１１の移動代になる。第２の導電性プレート１４の平面部１２Ａ側には導電性を有する第１、第２クッションシート１７Ａ、１７Ｂが導電性接着剤によって順次貼り合わされている。
【００２９】
ピン１１の第１の支柱１２Ｅからの突出端部には図２の（ａ）に示すように導電性弾性部材（例えば、コイルスプリング）１８が取り付けられている。このコイルスプリング１８は、Ｃリング１３Ａから環状支柱１２Ｆの突出端面を超える長さに形成され、図２の（ａ）に示すように環状支柱１２Ｆ内で第１の支柱１２Ｅから突出するピン１１の基端部を囲んでいる。従って、第２の支柱１２Ｈに第２の導電性プレート１４を固定した状態では、コイルスプリング１８がＣリング１３Ａと第２の導電性プレート１４間で圧縮され、ピンヘッド本体１２内で後退するピン１１に弾力を付与する。つまり、ピン１１はコイルスプリング１８を介して常にピンヘッド本体１２の外側へ付勢されている。コイルスプリング１８の圧縮の程度は、肌の起伏の程度によって変わる。
【００３０】
図２の（ａ）、図３の（ｂ）及び図４に示すように、第２の導電性プレート１４の中心孔１４Ｂにはヘッドアースピン１９が貫通している。このヘッドアースピン１９は、第２の導電性プレート１４の中心孔１４Ｂに装着されて操作部２０内に収納された電気信号生成器で生成される低周波パルスの電気信号をピンヘッド１０側へ伝達するように構成されている。
【００３１】
ヘッドアースピン１９の先端近傍の周面には図４に示すように溝１９Ａが形成されている。この溝１９Ａには第２の道電性プレート１４への止め具（例えば、Ｅリング）１３Ｂが嵌め込まれる。ヘッドアースピン１９がＥリング１３Ｂを介して第２の導電性プレート１４に装着された状態で、ヘッドアースピン１９の頭部と第２の導電性プレート１４の間に介在する湾曲ワッシャー１３Ｃによってヘッドアースピン１９に弾力が付与されている。また、Ｅリング１３Ｂと第２の導電性プレート１４との間にはワッシャー１３Ｄ、クッションリング１５が介在している。
【００３２】
ピンヘッド１０が操作部２０に装着された状態で、ヘッドアースピン１９が操作部２０側の第１の導電性プレート２４と弾力的且つ電気的に接触する。ヘッドアースピン１９、第２の導電性プレート１４、コイルスプリング１８、Ｃリング１３Ａ及びピン１１は互いに導通自在であるため、操作部２０内の電気信号生成器で発生した低周波パルスの電気信号が第１の導電性プレート２４、ヘッドアースピン１９、第２の導電性プレート１４、コイルスプリング１８、Ｃリング１３Ａ及びピン１１を介して頬等の柔らかい肌や筋肉に印加されるようになっている。
【００３３】
また、図４に示すように、第２の道電性プレート１４の外周縁にはピンヘッド本体１２に設けられた位置決め部１２Ｇに対応する切欠き部１４Ｃが形成され、第２の道電性プレート１４をピンヘッド本体１２に装着する際に切欠き部１４Ｃを位置決め部１２Ｇに合わせすることで、ピンヘッド本体１２に対して第２の道電性プレート１４を簡単に位置決めして装着することができる。
【００３４】
次に、マッサージ器の動作について説明する。まず、マッサージ器本体Ｍとコントローラ１２に電池を装着し、それぞれの電源を確保してマッサージ器を使用できる状態にする。次いで、コントローラを操作してマッサージ器本体Ｍへ電波を送信すればピンヘッド１０の１２本ののピン１１から振動及び電気的刺激を与えることができる。
【００３５】
そのためには、マッサージ器本体Ｍの操作部２０を持ち、操作ボタン２５を押圧操作するとマッサージ器本体Ｍのスイッチが入り、振動生成器２３から振動が生成すると共に電気信号生成器から低周波パルスの電気信号が生成する。この状態でピンヘッド１０のピン１１を頬の所定部位に当てる。
【００３６】
１２本のピン１１が例えば頬の所定部位に当てると、１２本のピン１１はそれぞれのコイルスプリング１８の弾力に抗して頬の所定部位の曲面に即してピンヘッド本体１２内へ退没し、所定部位の曲面に満遍なく均一に弾接する。１２本のピンは振動生成器２３で生成した振動を頬の所定部位に与えると共に電気信号生成器で生成した低周波パルスの電気信号を印加して所定部位に電気的刺激を付与する。これらの振動と電気的刺激によって頬の所定部位に美容マッサージを施し、その部位での血液やリンパ液等の体液の流れを活性化し、筋肉疲労などを回復することができる。
【００３７】
マッサージに際し、マッサージ器本体Ｍを頬の曲面に即して移動させると、１２本のピン１１は如何なる曲面であってもそれぞれの部位の起伏に即して１２本のピン１１が全て独立してコイルスプリング１８を介して弾力的且つ円滑に進退動して頬の所定部位に振動と電気的刺激を均一に与え、心地よいマッサージにより疲労等を回復することができる。本実施形態のピンヘッド１０を用いて美容上重要な頬などをマッサージすれば、１２本のピン１１がそれぞれ頬等のように柔らかな肌の起伏に即して均一なピン圧で接触すると共に滑らかに追随し、この部位の血液やリンパ液等の体液の流れを活性化して疲労などを回復することができる。
【００３８】
本実施形態のピンヘッド１０の場合、１２本のピン１１のＣリング１３Ａがクッションリング１５を介して第１の支柱２Ｅに接触するため、Ｃリング１３Ａと第１の支柱１２Ｅとの衝突音を防止あるは抑制することができるため、不快音がなく、違和感なく心地よいマッサージを施すことができる。第２の導電性プレート１４の裏面にも第１、第２クッションシート１７Ａ、１７Ｂが貼り合わされているため、第２の導電性シート１４と第２の支柱１２Ｅや環状支柱１２Ｆとの間の衝撃も緩和することができる。
【００３９】
また、ピンヘッド１０を組み立てる時には種々の利点がある。例えばピン１１を第１の支柱１２Ｅに組み付けた後、第２の導電性プレート１４を第２の支柱１２Ｈに固定する際に、コイルスプリング１８が環状支柱１２Ｆで囲まれてピン１１の基端部から外れることを防止することができ、しかも位置決め部１２Ｇ及び切欠き部１４Ｃを介して第２の導電性プレート１４を第２の支柱１２Ｈに対して円滑に位置決めして取り付けることができる。
【００４０】
尚、本発明は上記実施形態に何ら制限されるものではなく、各構成要素を適宜設計変更することができる。例えば、本実施形態では導電性弾性部材としてコイルスプリング１８を用いているが、これに制限されるものではなく、例えば導電性ゴム等も用いることができる。
【符号の説明】
【００４１】
Ｍ    マッサージ器本体
１０    ピンヘッド
１１    ピン
１２    ピンヘッド本体
１２Ａ  平面部
１２Ｅ  第１の支柱
１２Ｆ  環状支柱
１２Ｈ  第２の支柱
１３Ｂ  Ｃリング（抜け止め具）
１４    第２の導電性プレート
１５    クッションリング
１８    コイルスプリング（導電性弾性部材）
１９    ヘッドアースピン（アースピン）
【要約】
【課題】複数のピンが頬等の柔らかい肌や筋肉の起伏に即して均一に接触し、違和感なく心地良い振動と電気的刺激を与えて疲労等を回復することができるマッサージ器用のピンヘッドを提供する。
【解決手段】本発明のピンヘッド１０は、複数のピン１１と、ピンヘッド本体１２の平面部１２Ａの内面に立設された複数の第１の支柱１２Ｅと、複数の第１の支柱１２Ｆからそれぞれのピン１１の抜け止めをする複数のＣリング１３Ａと、複数の第１の支柱１２Ｅで複数のピン１１に装着されたＣリング１３Ａとコイルスプリング１８を囲む環状支柱１２Ｆと、平面部１２Ａの内面に第１の支柱１２Ｅより高く立設された複数の第２の支柱１２Ｈと、複数の第２の支柱１２Ｈに固定された導電性プレート１４と、複数のピン１１の基端部を囲み複数のピン１１それぞれを外方に付勢するコイルスプリング１８とを備えている。
【選択図】図２【図１】
0005789064.tif 000002
【図２】
0005789064.tif 000003
【図３】
0005789064.tif 000004
【図４】
0005789064.tif 000005
【図５】
0005789064.tif 000006